(57)【要約】【課題】歯間ブラシ部分を交換する際の交換が容易で、歯間ブラシの向きを使い易い方向に向けて使用でき、また携帯に便利なようにコンパクトに収納できるようにする。【解決手段】歯間ブラシ１を取り付けたブラシ回転部２からなるブラシヘッド部Ａと、歯間ブラシ１を収納乃至取り出し可能なヘッドブラケット部Ｂと、該ヘッドブラケット部Ｂに一対の支軸７、７を介して開閉回転可能に軸支された一対のホルダーカバー体５、５からなるブラシホルダー・カバー部Ｃとから構成され、収納時にはブラシヘッド部Ａを切欠部４内に収納しブラシホルダー・カバー部Ｃを閉鎖しヘッドブラケット部Ｂを外側からカバー可能であり、使用時にはブラシホルダー・カバー部Ｃを開放して延長ホルダー部を形成できる。【選択図】図１
2004216014.tif 000002
【特許請求の範囲】
【請求項１】
歯間ブラシ１を取り付けたブラシ回転部２からなるブラシヘッド部Ａと、該ブラシヘッド部Ａのブラシ回転部２をシャフト体３の一端部に設けた切欠部４を介して対向するシャフト体３、３の対向内面に設けた水平回転軸３ａにて軸支することによりブラシヘッド部Ａを回転可能に軸支し且つ切欠部４内外に歯間ブラシ１を収納乃至取り出し可能なヘッドブラケット部Ｂと、該ヘッドブラケット部Ｂのシャフト体３の他端部両側に一対の支軸７、７を介して開閉回転可能に軸支された一対のホルダーカバー体５、５からなるブラシホルダー・カバー部Ｃとから構成され、収納時には、ブラシヘッド部Ａを切欠部４内に収納しブラシホルダー・カバー部Ｃを閉鎖しヘッドブラケット部Ｂを外側からカバー可能であり、使用時には、ブラシホルダー・カバー部Ｃを開放してヘッドブラケット部Ｂとブラシホルダー・カバー部Ｃとによる延長ホルダー部を形成でき且つブラシヘッド部Ａを切欠部４外側に取り出しできることを特徴とする歯間ブラシホルダー。
【請求項２】
前記ブラシヘッド部Ａのブラシ回転部２とヘッドブラケット部Ｂのシャフト体３、３の対向内面との回転周接界面には、ブラシヘッド部Ａの回転を一端停止させる所定間隔の複数凹凸嵌合部を備えることを特徴とする請求項１記載の歯間ブラシホルダー。
【発明の詳細な説明】
【０００１】
【発明の属する技術分野】
本発明は、歯間ブラシホルダーに関し、歯間ブラシ部分が角度可変となっている構造の長柄状の歯間ブラシホルダーに関する。
【０００２】
【従来の技術】
歯間ブラシ部分が角度可変となっている構造の従来の長柄状の歯間ブラシホルダーとしては、ブラシホルダーの長手方向に対して直交方向に設けた支軸を介して歯間ブラシ部をブラシホルダーに回動可能に設けた構造のものがあり、歯間ブラシ部を長柄状の歯間ブラシホルダーに対して使い易い所定の角度に調整することができるようになっている。
【０００３】
【特許文献１】
特開平９−１２１９４２号公報
【特許文献２】
実公昭５４−５１６５号公報
【０００４】
【発明が解決しようとする課題】
また、上記のような従来の歯間ブラシホルダーは、歯間ブラシ部を交換する際には、ブラシホルダーから支軸部分を取り外して交換する必要があるが、その支軸部分をブラシホルダーから取り外す際に簡単に外すことができず、そのために時間が掛かったり、ブラシホルダー本体を破損したりして、交換が面倒であり、また歯間ブラシホルダーを旅行カバンなどに入れて携帯するような場合には、ホルダー部分が長柄状であるためにコンパクトに携帯できない不都合があった。
【０００５】
本発明の課題は、これらの不都合を解消することにあり、歯間ブラシ部分を交換する際の交換が容易で、歯間ブラシの向きを使い易い方向に向けて使用でき、また携帯に便利なようにコンパクトに収納できるようにした歯間ブラシホルダーを提供することにある。
【０００６】
【課題を解決するための手段】
本発明の請求項１に係る発明は、歯間ブラシ１を取り付けたブラシ回転部２からなるブラシヘッド部Ａと、該ブラシヘッド部Ａのブラシ回転部２をシャフト体３の一端部に設けた切欠部４を介して対向するシャフト体３、３の対向内面に設けた水平回転軸３ａにて軸支することによりブラシヘッド部Ａを回転可能に軸支し且つ切欠部４内外に歯間ブラシ１を収納乃至取り出し可能なヘッドブラケット部Ｂと、該ヘッドブラケット部Ｂのシャフト体３の他端部両側に一対の支軸７、７を介して開閉回転可能に軸支された一対のホルダーカバー体５、５からなるブラシホルダー・カバー部Ｃとから構成され、収納時には、ブラシヘッド部Ａを切欠部４内に収納しブラシホルダー・カバー部Ｃを閉鎖しヘッドブラケット部Ｂを外側からカバー可能であり、使用時には、ブラシホルダー・カバー部Ｃを開放してヘッドブラケット部Ｂとブラシホルダー・カバー部Ｃとによる延長ホルダー部を形成でき且つブラシヘッド部Ａを切欠部４外側に取り出しできることを特徴とする歯間ブラシホルダーである。
【０００７】
本発明の請求項２に係る発明は、上記請求項１に係る歯間ブラシホルダーにおいて、前記ブラシヘッド部Ａのブラシ回転部２とヘッドブラケット部Ｂのシャフト体３、３の対向内面との回転周接界面には、ブラシヘッド部Ａの回転を一端停止させる所定間隔の複数凹凸嵌合部を備えることを特徴とする歯間ブラシホルダーである。
【０００８】
【発明の実施の形態】
本発明の歯間ブラシホルダーの実施の形態を、図１に示す全体斜視図、図２（ａ）に示す正面断面図、図２（ｂ）に示す側断面図に沿って以下に詳細に説明する。
【０００９】
本発明の歯間ブラシホルダーは、図１に示すように、ブラシヘッド部Ａとヘッドブラケット部Ｂとブラシホルダー・カバー部Ｃとにより構成されていて、ブラシヘッド部Ａは、歯間ブラシ１を取り付けたブラシ回転部２と、該ブラシ回転部２を軸線Ｏを回転中心として回転可能に支持される軸孔部２ａとにより構成される。
【００１０】
該ブラシヘッド部Ａのブラシ回転部２は、図１に示すように、ヘッドブラケット部Ｂに回転可能に取付けられている。
【００１１】
ヘッドブラケット部Ｂは、シャフト体３の一端部に、その長手方向に切欠部４を設け、該切欠部４を介して対向するシャフト体３、３（以下、対向シャフト体３、３という）を備えたものである。
【００１２】
ブラシ回転部２は、ヘッドブラケット部Ｂの対向シャフト体３、３の対向内面に嵌装されて、図２（ａ）に示すようにブラシ回転部２は、対向シャフト体３、３の対向内面に突出する水平回転軸３ａ、３ａがブラシ回転部２の軸孔部２ａ内に嵌挿して回転可能に軸支されている。
【００１３】
ブラシ回転部２に取り付けた歯間ブラシ１は、図１に示すように、ブラシ回転部２の回転により切欠部４内に収納でき、また、使用時には、図２（ａ）〜（ｂ）に示すようにブラシ回転部２の回転により切欠部４内より外側に取り出すことができる。
【００１４】
またブラシヘッド部Ａのブラシ回転部２の両側面と、対向シャフト体３、３の対向内面の互いの摺接面部分には、図１及び図２（ｂ）に示すように、所定間隔に複数の凹凸嵌合部２ｂ、３ｂを備え、ブラシ回転部２は各々凹凸嵌合部により数カ所の回転角位置にて、一旦、回転停止できる停止ロック機構を設けるようにしてもよい。
【００１５】
なおブラシヘッド部Ａのブラシ回転部２の回転動作は、ブラシ回転部２又はブラシ回転部２のブラシ取付け基部２ｃを直接手指で触れて押しながら回転させることができる。
【００１６】
図１に示すように、ヘッドブラケット部Ｂのシャフト体３他端部両側には、各々回転支軸７、７を介して開閉回転可能に軸支された一対のホルダーカバー体５、５からなるブラシホルダー・カバー部Ｃが設けられている。
【００１７】
一対の各々ホルダーカバー体５、５は、ヘッドブラケット部Ｂのシャフト体３の一端部から他端部まで長手方向の半分ずつを被覆でき、図１及び図３（ａ）〜（ｂ）に示すように、シャフト体３の一端面と前後面と側面の四面を外側から被覆するそれぞれ端面板部５ａと前後面板部５ｂ、５ｃと側面板部５ｄとから構成されていて、その各々ホルダーカバー体５、５内部の中空部６内に、ヘッドブラケット部Ｂの長手方向の半分ずつを嵌挿してヘッドブラケット部Ｂ全体をカバーできるサイズと形状を備えている。
【００１８】
図１に示すように、前記一対の各々ホルダーカバー体５、５を支軸７、７を介してヘッドブラケット部Ｂから離反する方向（実線矢印方向）に回転させて開放し、それぞれ側面板部５ｄ、５ｄを重ね合わせることにより、ヘッドブラケット部Ｂの他端部に、その長手方向に延長されたブラシホルダー部分が形成される。
【００１９】
また前記一対の各々ホルダーカバー体５、５を、ヘッドブラケット部Ｂの方向（点線矢印方向）に回転させて閉鎖し、ヘッドブラケット部Ｂを空間部６内に嵌挿し、それぞれ前後面板部５ｂ、５ｃの前端部を重ね合わせることにより、図３（ａ）〜（ｂ）に示すようにヘッドブラケット部Ｂ全体を外側から各々ホルダーカバー体５、５によってカバーすることができる。
【００２０】
図４（ａ）〜（ｃ）は本発明の歯間ブラシホルダー使用方法の説明図であり、図４（ａ）（又は図１）に示すように、一対のホルダーカバー体５、５を支軸７を介して実線矢印方向に回転させて開放し、ホルダーカバー体５、５による延長したブラシホルダー部分を形成し、続いて、ブラシヘッド部Ａのブラシ回転部２を回転させて、図４（ｂ）に示すようにヘッドブラケット部Ｂの切欠部４内から収納されているブラシヘッド部Ａの歯間ブラシ１を外側に取り出す。
【００２１】
次に、ブラシヘッド部Ａのブラシ回転部２を手指で回転させ、適宜な回転角度にて一旦停止させることにより、図４（ｃ）に示すように、歯間ブラシ１の向きを水平１８０度の範囲内にて適宜な角度（垂直〜水平）の姿勢に変化させることができる。
【００２２】
例えば、図４（ｃ）に示すように、歯間ブラシ１をヘッドブラケット部Ｂの長手方向に対して９０度の水平方向に回転させて、歯間ブラシ１の向きをヘッドブラケット部Ｂとホルダーカバー体５、５による延長したブラシホルダー部分の長手方向に対して９０度の水平方向の姿勢にすることにより、ホルダー部分を手で縦方向に持ちながら、歯間ブラシ１を略水平方向にして口腔内に挿入し、楽な姿勢で歯間の清掃を行うことができる。
【００２３】
上記ブラシヘッド部Ａの歯間ブラシ１を取り替え交換する場合は、ヘッドブラケット部Ｂの対向シャフト体３、３を僅かに拡げ、対向シャフト体３、３の支軸部３ａ、３ａから歯間ブラシ１を取り付けたブラシ回転部２を取り外し、新規な歯間ブラシ１を取り付けたブラシ回転部２を、対向シャフト体３、３の支軸部３ａ、３ａに軸支して取り付けでき、簡単に交換することができる。
【００２４】
【発明の効果】
本発明の歯間ブラシホルダーは、ブラシヘッド部と、ブラシヘッド部のブラシ回転部２を軸支し、歯間ブラシを収納、取り出し可能なヘッドブラケット部と、該ヘッドブラケット部に軸支された一対のホルダーカバー体からなるブラシホルダー・カバー部とから構成されているので、収納保管するような場合や、旅行カバンなどに入れて携帯するような場合における収納時には、ブラシヘッド部を切欠部内に収納して、ブラシホルダー・カバー部を閉鎖し、ヘッドブラケット部を外側からカバー可能であり、コンパクトに収納したり携帯できる効果があり、また使用時には、ブラシホルダー・カバー部を開放し、ヘッドブラケット部とブラシホルダー・カバー部とによる延長ホルダー部を形成でき、手で持ち易く、使い易くすることができる。
【００２５】
また歯間ブラシ部分を交換する際には、ヘッドブラケット部から歯間ブラシを取り付けたブラシ回転部を取り外すことにより、歯間ブラシを簡単に取り外すことができ、また取り付ける際には、新規な歯間ブラシを取り付けたブラシ回転部をブラシヘッド部に軸支して取り付けることができ、簡単に歯間ブラシの交換が可能である。
【図面の簡単な説明】
【図１】本発明の歯間ブラシホルダーの全体斜視図。
【図２】（ａ）〜（ｂ）は本発明の歯間ブラシホルダーのブラシヘッド部とヘッドブラケット部の断面図。
【図３】（ａ）は本発明の歯間ブラシホルダーのカバー状態における正面図、（ｂ）はその側面図。
【図４】（ａ）は本発明の歯間ブラシホルダーの歯間ブラシを収納した状態の全体正面図、（ｂ）はその歯間ブラシを外側に取り出した状態の全体正面図、（ｃ）はその歯間ブラシの角度を調整した状態の側面図。
【符号の説明】
Ａ…ブラシヘッド部  Ｂ…ヘッドブラケット部  Ｃ…ブラシホルダー・カバー部
Ｏ…回転軸線
１…歯間ブラシ  ２…ブラシ回転部  ３…シャフト体  ４…切欠部
５…ホルダーカバー体  ５ａ…一端面板部  ５ｂ…前面板部  ５ｃ…後面板部
５ｄ…側面板部  ６…空間部  ７…支軸部
【図１】
2004216014.tif 000003
【図２】
2004216014.tif 000004
【図３】
2004216014.tif 000005
【図４】
2004216014.tif 000006